(57)【要約】  液体から固体を濾過し、分離するための濾過装置で、液体浸透性があり、連続的に、または、断続的に駆動可能な少なくとも１つのフィルターベルトと、供給ゾーンにてフィルターベルトへ濾過対象の液体／固体混合物を供給するための入口と、排出ゾーンにて供給ゾーンから搬出されたベルト部分からフィルターベルトに堆積した固体を除去するためのベルトクリーナーとを備える濾過装置に関する。本発明によると、ベルトクリーナーは、回転して駆動可能な少なくとも１つのブラシを備え、このブラシには、スクレーパーを有するブラシクリーナーが関連付けられて、ブラシクリーナーは、回転するブラシの毛の経路に配置される。回転するブラシは、フィルターベルトから堆積した固体を効率的に除去し、一方で、ブラシクリーナーのスクレーパーは、同時に、分解した固体がブラシに沈積しブラシに詰らないことを確実にする。固体の恒常的に効果のある連続的分離を確保できるよう、ブラシの連続的自己洗浄は、特に、濾過対象液体の粘着性のある汚染物に対して非常に役立つ。【選択図】図２
2013543440.tif 000002
【特許請求の範囲】
【請求項１】
液体から固体を濾過し、分離するための濾過装置であり、
液体浸透性があり、連続的に、または、断続的に駆動可能な少なくとも１つのフィルターベルト（３）と、
供給ゾーン（５）において前記フィルターベルト（３）上に濾過対象の液体／固体混合物を供給するための入口（４）と、
排出ゾーン（７）における前記供給ゾーン（５）から搬出されるベルト部分から前記フィルターベルトに堆積した固体を除去するためのベルトクリーナー（６）とを備える濾過装置であって、
前記ベルトクリーナー（６）は、回転して駆動されるブラシ（８）を備え、
前記ブラシ（８）には、スクレーパー（１０）を有するブラシクリーナー（９）が関連付けられており、
前記ラシクリーナー（９）は、前記ブラシ（８）の毛の領域の回転経路に配置されていることを特徴とする濾過装置。
【請求項２】
請求項１に記載の濾過装置において、
前記ブラシクリーナー（６）の前記スクレーパー（１０）は、前記毛の領域に埋もれるように、好ましくは完全に埋もれるように保持される棒型ワイパーとして形成さている濾過装置。
【請求項３】
請求項２に記載の濾過装置において、
前記ワイパーは、円形とは異なる、好ましくは円筒形の断面を有し、前記ブラシの回転軸（３７）に対して実質的に平行に前記ワイパーの回転軸（１１）の周りを駆動可能に形成されている濾過装置。
【請求項４】
請求項１〜３のいずれか１項に記載の濾過装置において、
前記ブラシクリーナー（９）の前記スクレーパー（１０）は、前記フィルターベルト（３）に対する垂直方向を０°とした場合、前記ベルト（３）から離れた前記ブラシ（８）の側に、好ましくは９０°から２７０°、特に、約１５０°から２１０°の角度範囲に配置されている濾過装置。
【請求項５】
請求項１〜４のいずれか１項に記載の濾過装置において、
前記ブラシ（８）は、フィルターベルト速度に対して可変の回転速度で駆動可能であり、
ブラシ速度を、動作パラメータ、特に、フィルター荷重、固体物質、および／または、粒度に応じて自動設定するために、制御装置が設けられている濾過装置。
【請求項６】
請求項１〜５のいずれか１項に記載の濾過装置において、
前記フィルターベルト（３）に対する前記ブラシ（８）の接触圧力は、好ましくは、前記フィルターベルトからの前記ブラシの回転軸の間隔の調節可能性によって設定可能であり、
前記ブラシ（８）の接触圧力を、動作パラメータ、特に、フィルター荷重、固体量に対する液体量の比率、固体物質、および／または、粒度に応じて自動設定するために、制御装置が設けられている濾過装置。
【請求項７】
請求項１〜６のいずれか１項に記載の濾過装置において、
前記ブラシ（８）は、前記フィルターベルト（３）の下部搬送路の下側に噛み合っている濾過装置。
【請求項８】
請求項１の前提構成、または、請求項１〜７のいずれか１項に記載の濾過装置において、
前記駆動可能なフィルターベルト（３）は、前記ベルトクリーナー（６）と組み合わせられて、前記入口（４）からは分離して形成された、前記入口（４）に対して移動可能な引き出し状の組立品を形成し、
前記入口（４）は、フィルター筐体（２）に設けられており、前記組立品を引き出しのように動かすことにより、前記フィルターベルト（３）の一部を、前記フィルター筐体（２）内へ移動可能である濾過装置。
【請求項９】
請求項８に記載の濾過装置において、
前記組立品は、下部台車（１３）によって床に支持される、および／または、前記フィルター筐体（２）における滑りガイド（１４）により移動可能にガイドされるトロリーを構成している濾過装置。
【請求項１０】
請求項８または９に記載の濾過装置において、
前記引き出し状の組立品は、前記フィルターベルト（３）を取り囲む接続カラー（１５）を備え、
前記接続カラー（１５）は、前記引き出し状の組立品の一部が前記フィルター筐体（２）の内部に配置され、前記ベルトクリーナー（６）および前記排出ゾーン（７）を有する前記組立品の残りの部分が前記フィルター筐体（２）の外側に配置されるように、好ましくは、液密および／または気密に、前記フィルター筐体（２）と接続可能である濾過装置。
【請求項１１】
請求項１の前提構成または請求項１〜１０のいずれか１項に記載の濾過装置において、
前記フィルターベルト（３）は、偏向ローラー（１６，１７）の周囲を回転し、上部搬送路（３ａ）と下部搬送路（３ｂ）とを有するベルトコンベヤとして形成され、
方向転換面（１８）は、前記上部搬送路（３ａ）を通って濾過された液体を前記下部搬送路（３ｂ）を回避するように方向転換させるために、前記上部搬送路（３ａ）と前記下部搬送路（３ｂ）との間の前記供給ゾーン（５）に設けられた前記ベルトコンベヤの一部分に設けられている濾過装置。
【請求項１２】
請求項１１に記載の濾過装置において、
ベルトガイド素子が、好ましくは、ベルトガイドレールの形態で、前記方向転換面（１８）に設けられており、
前記ベルトガイド素子は、前記フィルターベルト（３）の前記上部搬送路（３ａ）の外側縁に噛み合い、または、それを覆い、前記供給ゾーン（５）を側方から境界付ける濾過装置。
【請求項１３】
請求項１の前提構成または請求項１〜１２のいずれか１項に記載の濾過装置において、
前記フィルターベルト（３）に堆積した固体を乾燥するための乾燥装置（２０）は、前記供給ゾーン（５）と前記排出ゾーン（７）との間の前記フィルターベルト（３）に関連付けられている濾過装置。
【請求項１４】
請求項１３に記載の濾過装置において、
前記乾燥装置（２０）は、前記堆積した固体に対して放射エネルギーを与えるための少なくとも１つのエネルギーラジエーター（２１）、好ましくは、赤外線ラジエーターを備え、および／または、前記堆積した固体に対して乾燥気流を当てるための少なくとも１つの気流生成器（２２）を、好ましくは、送風または吸引の装置の形態で備える濾過装置。
【請求項１５】
請求項１の前提構成または請求項１〜１４のいずれか１項に記載の濾過装置において、
動作パラメータ、特に、濾過対象の液体／固体混合物における固体量に対する液体量の比率、フィルター荷重、固体物質、および／または、粒度に応じてフィルターベルト速度を自動的に設定するために、制御装置が備えられている濾過装置。
【発明の詳細な説明】
【技術分野】
【０００１】
本発明は、液体から固体を濾過および分離するための濾過装置であって、少なくとも１つの液体浸透性の、連続的または断続的に駆動可能なフィルターベルトと、フィルターベルトへ濾過しようとする液体／固体混合物を供給するための、供給ゾーンにおける入口と、供給ゾーンから搬出されたベルト部からフィルターベルトに堆積した固体を除去するための、排出ゾーンにおけるベルトクリーナーとを備える濾過装置に関する。
【背景技術】
【０００２】
独国特許第１０１５４１３４号Ａ１明細書から、ペレタイジング装置が知られており、このペレタイジング装置の処理液は、冷却液の形態で粒子フィルターを通して循環部内を誘導されて、ペレタイジングすなわち造粒中に処理液へ入った汚染物が処理液から濾過および分離される。コンベヤベルトのように連続的に巡回するフィルターベルトは、この点に関して粒子フィルターとして設けられており、濾過対象の汚染された処理液は、このフィルターベルト上へ、フィルターベルトの上部搬送路と下部搬送路とを通って流れ、フィルターベルト上に粒子が収集されるように供給される。ベルト上に収集された汚染物は、運び去られ、排出ゾーンにおけるスクレーパーを用いてベルトから連続的に除去される。
【０００３】
汚染液体を濾過するための、連続的または断続的に駆動可能なフィルターベルトの使用は、循環部へ処理液が導入される工場において特に有利である。なぜなら、フィルターを掃除するために工場を停止する必要がないからである。供給ゾーンにおいてフィルターベルト上に堆積した固体は、該供給ゾーンの外側に設けられた排出ゾーンにおいてフィルターベルトから除去され得るように、フィルターベルトの動きにより供給ゾーンから導出される。同時に、未使用の、または、掃除されたフィルターベルト部は、未使用の機能性のあるフィルターベルト部が供給ゾーンにおいて常に濾過を行うように、フィルターベルトの動きによって供給ゾーンへ新たに動かされる。
【発明の概要】
【発明が解決しようとする課題】
【０００４】
しかしながら、この種の既に知られている濾過装置は、多くの点で改善が必要である。この点に関し、１つの問題は、フィルターベルトの掃除およびメンテナンスに関する。独国特許第１０１５４１３４号Ａ１明細書に記載の装置におけるフィルターベルトの上部搬送路および下部搬送路の双方に集まる固体を、フィルターベルトの各搬送路が濾過装置の内部に設けられた偏向ローラーの周りへ誘導される前に、簡単に除去することができない。なぜなら、フィルターベルト部は、濾過装置の内部の対応するフィルターベルト部が下部搬送路から上部搬送路へ、または、回転方向に応じて上部搬送路から下部搬送路へ移行するより前に、排出ゾーンに配置されたスクレーパーを介する排出ゾーンへ先に誘導されないからである。これにより、フィルターベルトに堆積した固体が濾過装置の内部に設けられた偏向ローラーの周りへ誘導されて固化するだけでなく、ベルトおよび偏向ローラーが損耗し、そのうえ、上部搬送路において固体により覆われたフィルターベルト部が事前に掃除されずに再び濾過に使用されてしまう。
【０００５】
さらに、排出ゾーンにおけるフィルターベルトの掃除の際に、分解掃除措置が必要であり、それゆえに、濾過装置の停止が必要だという問題が生じる可能性がある。これは、一方では、フィルターベルトにおいて固化した堆積物は、完全に擦り取ることができず、フィルターベルトの回転を繰り返すと次第に蓄積してフィルターベルトが詰るからである。他方では、フィルターベルトから除去された固体がスクレーパーに蓄積する可能性があり、濾過装置のメンテナンス用の停止を必要とする蓄積がスクレーパーに生じることがあるからである。
【０００６】
このようなメンテナンス用の停止において、回転するフィルターベルトを有するこのような濾過装置の取り扱いは、これまで、固定端部分割フィルターでよりもいっそう複雑であった。例えば、フィルターベルトを完全に取り換えなければならないならば、濾過装置の取り外しははるかに複雑である。なぜなら、非連続のフィルターベルトの端部を、後から、すなわち、非連続のフィルターベルトを挿入した後に、互いに接続するべきでないならば、少なくとも、新しい連続して動くフィルターベルトを設置するために、濾過装置の内部における偏向ローラーも取り外す必要があるからである。
【０００７】
したがって、本発明の目的は、従来技術の欠点を回避する冒頭で述べた種類の向上した濾過装置を提供すること、および、この濾過装置を有利に開発することである。濾過効率を下げることなく、比較的少なく且つ短いメンテナンス用の停止時間で、より長い運転サイクルを達成することが好ましい。さらに、濾過装置を、様々な処理液に対して、すなわち、その内部に包含される固体に対して適合させることができるように、フィルターベルトの簡単な交換性が可能になることが好ましい。
【課題を解決するための手段】
【０００８】
本発明によれば、この目的は、請求項１に記載の濾過装置によって達成される。本発明の有利な形態は、従属請求項の主題である。
【０００９】
静止時間と、ベルトクリーナーの領域に生じる固体蓄積とによる濾過効率の低下を回避するため、フィルターベルトに堆積した固体を除去するためのブラシを使用することが提案される。このブラシは、フィルターベルトからの固体の永続的に有効な除去が確保されるだけではなく、掃除ブラシにおける物質蓄積とその除去に必要な停止とを回避するように、自己洗浄式に設計されている。本発明によると、ベルトクリーナーは、少なくとも１つの回転運転可能なブラシを有し、このブラシには、スクレーパーを有するブラシクリーナーが関連付けられており、このスクレーパーは、回転するブラシの毛の経路に配置されている。回転するブラシは、堆積した固体をフィルターベルトから効率的に除去し、その間に、ブラシクリーナーのスクレーパーは、同時に、分解した固体がブラシに沈降して詰まらないということを確保する。固体の永続的に効率的な連続的分離を確実にすることができるように、ブラシの連続的な自己洗浄は、濾過対象の液体の汚染物が粘着性である場合は、特に、非常に助かるものである。
【００１０】
回転して運転可能なブラシの自己洗浄のために使用されるスクレーパーは、一般的に様々に設計することができる。本発明の有利な形態によると、該スクレーパーを、ブラシの毛の部分に完全に埋もれるように保持されることが好ましい棒型のワイパーとして形成してもよい。この点に関し、回転ブラシの毛がそれらの経路において連続的にワイパーに当たるように、または、周期的にワイパーに噛み合うように、ワイパーは、この目的のために、ブラシの回転軸に対して平行に、任意には鋭角にわずかに傾いた姿勢で、ブラシの回転軸からブラシの外面の半径よりも小さい間隔をあけて延びていてもよい。
【００１１】
前記棒型ワイパーは、ここでは、動作時には静止して、すなわち、ブラシに対して固定した姿勢で配置され得る。円形シリンダ棒がスクレーパーとして設けられているならば、完全に剛性の動かない配置がなされ得る。
【００１２】
本発明のさらなる発展形態において、スクレーパーの位置は、ブラシに対して変化させることもでき、例えば、スクレーパーは、擦り取る効果をある時は強く、ある時は弱くするために、または、ブラシの損耗に応じてスクレーパーを調整できるように、ブラシの軸へ近づけることも、または、そこから離すこともできる。あるいは、または、さらに、スクレーパーの支持部は、擦り取り措置が異なる点で行われて、例えば、擦り取られた固体がフィルターベルトへ跳ね戻るのを回避できるように、スクレーパーを異なる周縁部に配置できるような可動性を有していてもよい。本発明の有利なさらなる一発展形態では、ブラシ用のスクレーパーを、フィルターベルトの反対側に設けられたブラシの側に配置することができる。フィルターベルトにおいてブラシの噛み合う点を角度位置０°と定義するならば、スクレーパーは、例えば、９０°と２７０°との間の角度部分に、すなわち、ブラシの回転動作の第２および第３の四分円に配置され得る。本発明の有利なさらなる一形態において、ブラシにより擦り落とす際に固体がフィルターベルトへ跳ね戻るのを確実に防止するために、スクレーパーを、例えば、１５０°と２１０°との間の範囲内に配置してもよい。スクレーパーの上記角度位置をスクレーパーの対応して可動性のある支持部によって調節できるならば、擦り落しを様々な固体および毛の種類に理想的に設定することができる。
【００１３】
本発明のさらなる発展形態において、棒型ワイパーも、円形とは異なる断面を有していてもよく、特に、ワイパーが回転して、好ましくは、ブラシの回転の方向とは反対の方向に駆動可能である場合、ワイパーとブラシとの間の噛み合い効果が増し、毛からの固体の除去が向上するように、例えば、押出部分のように放射状に突出するウェブを有していてもよいし、三角形もしくは多角形の輪郭を有していてもよいし、または、互いにずれた噛み合い突起のパターンを有していてもよい。
【００１４】
スクレーパー棒の押出部分の代わりに、スクレーパー棒は、スクレーパーの長手方向における搬送を指示できるように、特に、ネジ部または傾斜溝の形態の、長手方向において変化する構成要素を有する部分を有していてもよい。これにより、ブラシの中央において多く存在する固体は、例えば、ブラシの全長に亘って均一化され、横へ運び去られる。棒型ワイパーは、例えば、この目的のために、ヘリングボーン歯車、またはヘリングボーン輪郭を有していてもよい。この点に関し、上記ネジ部または傾斜部には、先述の押出部分が重なっていてもよい。
【００１５】
ワイパーの形状のこのようなスクレーパーの代わりに、または、これに加えて、ブラシの自己洗浄のために第２ブラシも使用してもよい。第２ブラシは、同様に回転駆動可能なブラシとして設計されているおり、第１ブラシの回転軸に対して実質的に平行に、または、わずかに傾斜して鋭角に延びる回転軸の周りを回転可能であることが有利である。このような第２ブラシは、有利には第１ブラシと反対の方向へ駆動されて第１ブラシから第１ブラシに接着した固体を除去する。本発明のさらなる発展形態において、さらなるブラシクリーナーが、例えば、先述のワイパーの形態で、第２ブラシに同様に関連付けられていてもよい。
【００１６】
フィルターベルトの掃除を様々な処理条件に理想的に適合できるように、フィルターベルトにブラシをかけるブラシは、ブラシの速度が変更可能であるように、且つ、各理想の値に設定され得るように、可変速度を有する駆動部を有している。
【００１７】
それゆえ、本発明のさらなる発展形態において、各現在の処理条件について理想的なフィルターベルト掃除を行うブラシ速度の自動的な調整または設定が提供される。この目的のために、制御装置を検出手段に接続してもよい。この検出手段は、様々な動作パラメータを検出し、次に、制御装置が、これらの様々な動作パラメータに応じて自動的に速度を設定する。例えば、検出手段は、荷重検出システムを備えていてもよく、荷重検出システムを用いて、フィルター荷重、すなわち、フィルターベルト上に置かれた固体量、および／または、残るフィルターの透過性が、例えば、フィルター荷重が増えるにつれてブラシ速度は高く設定され、一方で、フィルター荷重が減るにつれて低い速度が設定されるように決定される。代替として、または、さらに、上記検出手段は、濾過対象の液体における固体の割合を決定するため、および／または、固体量に対する液体量の比を決定するための固体密度検出システムも備えていてもよい。濾過対象の液体における固体の割合が増える場合、ブラシ速度を上げることができ、一方、例えば、固体量が下がるにつれて、速度を下げることができる。あるいは、または、さらに、前記検出手段は、接着性の固体粒子の粒度を決定するための粒度検出システムを備えていてもよい。粒度が上がる場合は速度を上げることができ、その一方で、例えば、比較的小さい粒子では、作業を比較的低いブラシ速度で行うことができる。あるいは、または、さらに、例えば、固体材料を、ブラシ速度を設定する参照となるパラメータとしても使用できる。あるいは、または、さらに、ブラシ速度のフィードバック調節を、例えば、光学センサー、または、ベルトの通気性および／または液体透過性の決定により、ブラシにより掃除されたフィルターベルト部を観察し、その掃除の程度に関してモニターすることで行える。次に、ブラシ速度は、フィルターベルトの掃除の程度がブラシの下流において出来る限り高くなるように調節される。さらなる動作パラメータを、掃除ブラシのこの速度調節において使用してもよい。
【００１８】
様々な動作パラメータに応じたブラシ速度の調節の替わりに、または、これに加えて、例えば、掃除措置をブラシ速度を上げて行う、または、フィルターベルトのｎ番目の回転毎にブラシの回転の方向を逆転させて行うというように、ブラシの速度も、周期的に変化または逆転することができる。
【００１９】
ブラシ速度を変化させる替わりに、または、これに加えて、本発明のさらなる一発展形態では、フィルターベルトに対するブラシの接触力も、特に、フィルターベルトからのブラシ軸の間隔を変更することにより変化させることができる。例えば、掃除効果が低下する、または、フィルター荷重が比較的高い場合に、ブラシがより強力にフィルターベルトへ当たるように、接触圧力、および／または、フィルターベルトからのブラシ軸の間隔を、様々な動作パラメータに応じた上記制御装置により対応する方法で自動的に制御することができる。ブラシの他の力も、例えば、掃除周期がフィルターベルトのｎ番目の回転毎に接触圧力を上げて行われるように、上記のように周期的に変化させることができる。
【００２０】
ブラシ速度、および／または、ブラシの接触力の変更の替わりに、または、これに加えて、フィルターベルトの移動速度も、本発明の有利なさらなる発展形態において変化させることができる。この目的のために、可変駆動速度を有する駆動部が、フィルターベルトに関連付けられている。有利には、フィルターベルト速度を手動で変化させることができるように、この駆動部に手動調節器が関連付けられていてもよい。あるいは、または、さらに、少なくとも１つの動作パラメータに応じてフィルターベルト速度を自動的に変化させるために、自動制御装置が設けられていてもよく、前述の動作パラメータ、つまり、特に、フィルター荷重、固相密度すなわち固体量に対する液体量の割合、粒度、固体物質、または、フィルターベルトの網目サイズすなわち細孔サイズもしくはフィルターベルトの液体透過性といったフィルターベルトの固有値を使用できることが有利である。例えば、フィルター荷重が増えるにつれて、または、濾過対象の液体／固体混合物における固体割合が増えるにつれて、ベルト速度を特に上げることができ、一方、フィルター荷重が低減するにつれて、または、固体割合が減るにつれて、ベルト速度を下げることができる。
【００２１】
前記ベルトクリーナーを、一般的には、フィルターベルト、および／または、排出領域の異なる部分に位置付けることができる。本発明の有利なさらなる一発展形態では、ブラシは、濾過対象の固体／液体混合物が濾過装置の供給ゾーンへ供給されるフィルターベルト側をブラシが処理するように、フィルターベルトの下部搬送路、つまり、好ましくは下側と係合される。
【００２２】
メンテナンス周期において必要であれば追加の掃除措置を行う、または、フィルターベルトを取り換えることができるように、本発明のさらなる一観点によれば、駆動可能なフィルターベルトは、前記ベルトクリーナーと組み合わせられて、濾過装置の入口とは分離して形成された、この入口に対して可動式に支持された組立品を形成することが考えられる。特に、フィルターベルトと、その駆動部と、ベルトクリーナーとを備える前記組立品は、前記組立品をその部品にあらかじめ分解せずに、前記組立品または供給ゾーンにおける濾過措置のために設けられたフィルターベルトの部分が引き出しのようにフィルター筐体へ挿入され、または、フィルター筐体から引き出されるように、引き出しのような形態で形成されていてもよい。濾過装置のフィルター筐体は、この目的のために、直立筐体壁は、そこから前記組立品をフィルター筐体へ押し入れるまたは引き出すことができるように、挿入開口部を有していることが有利である。
【００２３】
フィルターベルト組立品の引き出しおよび挿入における取扱いを簡単化するために、本発明の有利なさらなる一発展形態では、前記組立品が、下部台車によりベースに支持される、および／または、フィルター筐体において滑りガイドにより可動式でガイドされるトロリーを形成することが考えられる。この場合、全ての組立品は、取付者、または、使用者がフィルター組立品の全ての重さを受けることなく引き出され得る。組立品を下部台車によりトロリー状に設計することで出し入れが簡単になる。
【００２４】
フィルターベルトの供給ゾーンにおける正確に位置決定、および／または、入口とフィルターベルトとの間が正確に一致した連携を、そのためにフィルター筐体の内部への困難なアクセスを伴う位置決め作業を行う必要なく達成するために、本発明のさらなる一発展形態において、フィルターベルトを取り囲む接続カラーが、前記引き出し状の組立品に設けられており、接続カラーは、フィルター筐体と接続可能であり、フィルター筐体と係合する際に供給ゾーンにおけるフィルターベルトの所望の位置を正確に事前に定義する隣接部、および／または、位置決定装置を形成している。引き出し状の組立品が、フィルターベルトを先にして、フィルター筐体へ、前記接続カラーがフィルター筐体と接触するまで押される場合、フィルター筐体の内部に延びる引き出し状の組立品の部分は、供給ゾーン内に正確に位置決定され、その一方で、ベルトクリーナーと排出ゾーンとを備える組立品の残りの部分は、フィルター筐体の外側に配置される。
【００２５】
濾過対象の固体／液体混合物が、フィルターベルトまたはフィルターベルトの異なる部分を、該異なる部分が掃除されるよりも前に複数回通過するのを防止するため、濾過装置は、本発明のさらなる一観点によれば、固体／液体混合物が同じフィルターベルトを介して誘導されるのは１回だけであるように設計されている。しかしながら、前記フィルターベルトは、フィルターベルトが上部搬送路および下部搬送路を有する濾過装置の供給ゾーンへ延びるように、ベルトコンベヤのように偏向ローラーの周囲を搬送されることが適宜有利であり、この場合、フィルターベルトは、特に、連続して回転するベルトコンベヤとして設計されていてもよい。しかしながら、固体／液体混合物が上部搬送路と下部搬送路との両方を通過するのを防止するために、濾過装置は、本発明のさらなる一発展形態において、上部搬送路を介して導かれた液体が下部搬送路を回避するように方向転換するために、供給ゾーンに設けられたフィルターベルトコンベヤの部分においてフィルターベルトの前記上部搬送路と下部搬送路との間に方向転換面を有している。前記方向転換面は、上部搬送路を通過した液体を下部搬送路の前で堰き止め、下部搬送路を回避して液循環部のさらなる部分へ導く。
【００２６】
この点に関し、一般的に、前記方向転換面は、一方側へ傾斜した傾斜面の形状など、様々な設計を有し得る。本発明のさらなる一発展形態において、前記方向転換面は、大まかに言えば、切妻屋根のような輪郭を有していてもよく、方向転換面により堰き止められた液体が下部搬送路を回避して両側へ方向転換されるように、この輪郭の頂上部は、フィルターベルトの走行方向に対して実質的に平行に並べられており、上部搬送路へ向かって方向付けられている。
【００２７】
本発明のさらなる一発展形態において、前記方向転換面は、この点に関し、堰き止められた液体を落ち着かせ、フィルターベルトからのフローの長手方向成分を緩衝し、堰き止められた液体を、所望の方向へ直接方向転換するために、フィルターベルトの走行方向に対して横断するように延びる、好ましくはフロー方向レールの形態のフロー方向素子を有している。
【００２８】
本発明のさらなる一発展形態において、前記方向転換面は、堰き止められた液体の制御されないオーバーフローまたは漏出を防止するために、管状に形成されていてもよい。前記方向転換面は、特に、堰き止められた液体の制御された方向転換を達成できるように、別な方法で外側縁領域に形成された、上昇部、隆起部、または、保持形状を有していてもよい。
【００２９】
特に、前記方向転換面には、ベルトガイドレールを設けることができ、このベルトガイドレールは、フィルターベルトの上部搬送路の外側縁に噛み合い、または、それを覆い、供給ゾーンを側部から境界付ける。このようなベルトガイドレールは、フィルターベルトをガイドし、負荷が加えられた状態でフィルターベルトの過剰な弛みまたは捻じれを防止するという目的を達成するだけではなく、濾過されないオーバーフローとなってしまうフィルターベルトの上部搬送路の制御されない冠水も防止する。フィルターベルト縁部を超えて横方向へ突出する前記ベルトガイドレールは、前記混合物がフィルターベルトの上部搬送路を実質的に完全に通過してそこで濾過されるように、供給された固体／液体混合物を上部搬送路の領域に留める。これにより、上部搬送路と下部搬送路との間の前記堰き止めまたは方向転換面は、一方では、上部搬送路の下側で堰き止められた液体が、下部搬送路を回避して方向転換され、他方では、上部搬送路を通る完全な濾過が確実になるという二重機能を持つ。
【００３０】
フィルターベルトから除去するべき産出物をよりよく取り扱えるように、および、それにより、同時に、ベルト掃除をより簡単に実行できるように、本発明のさらなる一観点によれば、フィルターベルトに蓄積する固体を乾燥するための乾燥装置が、濾過装置の供給ゾーンと排出ゾーンとの間のフィルターベルトに関連付けられている。蓄積した固体は、このプロセスにおいて完全に乾燥される必要はないが、表面乾燥、または、ある程度は乾燥させることができ、この場合、用途に応じて乾燥の程度を異ならせることができる。乾燥装置は、この目的のために、基本的には様々に構成されていてもよく、任意には、隣り合ってまたは前後して配置された複数の乾燥手段を備えていいてもよい。本発明のさらなる一発展形態において、乾燥装置は、フィルターベルトに接着する濾過産生物に対して放射エネルギーを加えるために、例えば、赤外線ラジエーターの形態の、少なくとも１つのエネルギーラジエーターを有していてもよい。あるいは、または、さらに、乾燥装置は、例えば、送風器または吸引器の形態の、少なくとも１つの気流生成器を有していてもよい。このような気流生成器を用いて、フィルターベルトに接着する固体に乾燥空気を当て、前述のベルトクリーナーによってフィルターベルトからより簡単に放出され得るように、および、より簡単にさらに処理され得るようにすることができる。
【００３１】
固体をさらに乾燥するためにさらなる乾燥手段を使用することができる。例えば、サイクロン分離器、真空ポンプ、または他の脱湿手段が設けられていてもよい。
【００３２】
本発明のさらなる一発展形態において、異なるフィルターベルトが、前後に階段状の縦列の、または、並列の配列で並べて設けられていてもよく、この場合、異なるフィルターベルトは、異なる設計であることが好ましい。本発明のさらなる一発展形態において、さらに細かい固体粒子を濾過するために、異なるフィルターユニットがカスケード状に前後に並べて設けられていてもよい。あるいは、しかしながら、同じ種類の設計のフィルターベルトが、互いに対して異なる配置で濾過装置の一部を形成していてもよい。
【００３３】
一のフィルターベルトまたは複数のフィルターベルトは、一般的に、異なる設計であってもよく、その場合、織物または網の形態の天然または合成の繊維を、濾過媒体として加工された形態で使用することができる。あるいは、または、さらに、処理された、および／または、被覆された濾過媒体も設けられていてもよい。例えば、線維材料は、重縮合物とその共重合体とから製造されてもよいし、または、ポリオレフィンとその共重合体とから製造されてもよい。フィルターベルトは、連続ベルトとして形成されていることが有利であり、それゆえ、メンテナンス不要であり、再利用可能である。連続ベルトは、ここでは、最初は非連続的な形態で形成されたフィルターベルトの端部を接続することにより製造することができ、この場合、フィルターベルトの２つの端部は、フィルターベルトの設計に応じて、それぞれ、接着接合、溶接、圧着、縫製、結合、ネジ、縫合により、またはそれ以外の場合は固定的または分離可能に、互いに接続することができる。フィルターベルトの材料は、単層または多層設計の合成繊維として形成されていてもよいし、または、縦糸または横糸接続で、任意には静電気防止として形成されてもよい。あるいは、または、さらに、被覆されてないもしくは被覆された設計の目の細かいステンレス鋼織物、または、固定および／もしくは被覆されたガラスファイバー織物を、フィルターベルトとして使用できる。濾過の細かさは、各処理、または、各処理において生じる固体と、この処理において使用される処理液とに合わせられており、濾過の細かさが０．０５ｍｍから０．２５ｍｍの範囲、特に、０．１５ｍｍの様々な使用に対して一応の妥協が成立する。
【００３４】
濾過対象の固体／液体混合物の均一な供給を簡単化するために、本発明の有利なさらなる一発展形態では、入口は、ダム階段が設けられた供給ベッドを備え、この供給ベッドは、流出または供給開口部を備え、濾過対象の固体／液体混合物は、少なくとも１つのダム階段が溢れた後に初めて、この開口部へ到達する。有利には、濾過対象の固体／液体混合物は、ここでは、前記混合物が層流でフィルターベルト上へ伝播されるように、渦、および／または、乱流のほとんど無い状態でフィルターベルトへ供給される。
【００３５】
前記ダム階段の代わりに、例えば、フィン、ひだ、突起、または、供給フローを均一化する他の減速、および／もしくは、鎮静フロー手段の形態で、供給フローを落ち着かせる他のまたは追加のフロー制御手段も使用できる。入口は、本発明のさらなる一形態においては、入口タブを備えていてもよく、入口タブのベースは、フィルターベルトの長手方向へスロープ状に傾斜し、輪郭が異なっていてもよい、好ましくは卵型、楕円形、または角が丸くなった長方形である流出開口部へつながる。供給タブの流出開口部の丸みを帯びた輪郭により、フィルターベルトへ液体を均一にもたらすことができる。供給フローを鎮静、均一化、または、減速するための前述のフロー手段は、供給タブのスロープの付いたベースの領域における前記出口開口部の上流に配置されてもよい。
【図面の簡単な説明】
【００３６】
【図１】本発明の有利な一実施形態に係る濾過装置の概略的な斜視図であって、入口に配置された供給タブとその下にあるフィルターベルトとが見えるように、濾過装置の供給ゾーンが斜め上から示されている斜視図である。
【図２】フィルター筐体の外側に位置するフィルターベルトの部分と、排出ゾーンの下側に配置された濾過された固体のための収集タンクとを示す、異なる角度からの図１の濾過装置の概略的な斜視図である。
【図３】フィルター筐体の内部に配置されたフィルターベルトとそれに関連付けられた入口とを示すためにフィルター筐体の領域においては断面図として示された、図１および図２の濾過装置の側面図である。
【図４】連続的に回転するフィルターベルト、フィルターベルトのガイド手段、方向転換手段、駆動手段、フィルターベルトに関連付けられたベルトクリーナー、および、床に組立品を支持するための下部台車を備えるフィルターベルト組立品の斜視的な概略図である。
【図５】図４のフィルターベルトを下から見た平面図であって、フィルターベルトの下部搬送路に関連付けられ、大まかな掃除のためのスクレーパーと掃除ワイパーが関連付けられた自己洗浄ブラシロールとを備えるベルトクリーナーを示す平面図である。
【図６】フィルターベルトの排出ゾーンを下から斜めに示す斜視図であって、前記クレーパーとベルトクリーナーの前記ブラシロールとを示す平面図である。
【図７】掃除ブラシおよびこれに関連付けられた掃除ワイパーの詳細な拡大断面図であって、毛の除去領域に掃除ワイパーが配置されているのを示す拡大断面図である。
【図８】本実施形態における毛の領域の矢状の斜めの位置を示す掃除ブラシの斜視的な概略図である。
【図９】フィルターベルトへ固体／液体混合物を供給するための供給タブの斜視的な拡大図である。
【図１０】フィルターベルトの可能な実施形態を示す概略図である。
【発明を実施するための形態】
【００３７】
好ましい実施形態および添付の図面を参照して、以下に本発明を詳細に説明する。
【００３８】
図示した濾過装置１は、フィルター筐体２を備え、このフィルター筐体２を介して、固体により汚染された液体が濾過の目的で誘導される。濾過対象の液体は、ここでは、様々な目的、例えば、循環部をガイドされる工場の処理液として機能し得る。循環部を誘導される油または水などの冷却液は、ここでは、その再利用が必要である、または、価値がある処理液の特定の汚染物が生じる、工作機械、または、他の製造工場を冷却するためのものと考えることができる。葉などの環境中の物質により汚染される冷却水の浄化も考えられる。
【００３９】
濾過装置１の使用は、プラスチックを粒状化するためのペレタイジング装置、例えば、リングペレタイザーまたは射出ペレタイザーそして、特に、水中用ペレタイザーにおいて特に有利であり、水中用ペレタイザーにおいて、粒状化されたプラスチックが処理液循環部へ加えられる。粒状化されたペレットは、この処理において通常の分離器によって除去され、その後、プラスチック粒子による比較的小さい汚染物を、図示した濾過装置によって濾過し分離することができる。この場合、図示した濾過装置は、ペレット分離器の下流において処理液循環部に接続されている。
【００４０】
濾過対象の固体／液体混合物は、入口４を介してフィルター筐体２の内部へ投入され、供給ゾーン５における供給タブ２３を介して、連続的にまたは断続的に駆動可能なフィルターベルト３上へ投入される。このフィルターベルト３は、横になって並んで、すなわち、水平に、または、水平に対して鋭角でわずかに傾斜して並んで設けられている。図示した実施形態において、フィルターベルト３は、水平に並べられている（図３参照）。
【００４１】
ここでは、図示したフィルターベルト３は、フィルターベルト３を通過する処理液をフィルター筐体２の下部領域に収集することができるように、上部領域に、例えば、フィルター筐体２の内部の上部三分の一に位置している。なお、この下部領域は、同時に、液体タンクまたは中間貯留部として機能する。
【００４２】
入口４の前記供給タブ２３は、図９により詳細に示されており、供給タブ２３の端部領域におけるシンクへ向かって傾斜する傾斜ベース２４を備えることが有利であり、流出開口部２５が前記シンクに設けられており、この流出開口部２５は、引き伸ばされた、卵型の、または、やや楕円形の輪郭を図示した実施形態では有しているが、製品に特有の様々な輪郭を、例えば、長方形、または、多角形の引き伸ばされた孔の形態で有していてもよい。供給タブ２３は、流出開口部２５へ向かって先細りすることが有利であり、すなわち、ベース２４の傾斜に対して横切る幅は、流出開口部２５へ向かって狭まり（図９参照）、この場合、先細りは、連続的でもよいし、または、段階的でもよい。ここでは、前記ベース２４は、縁側部におけるタブ端部２６によって区切られている。なお、このタブ端部２６は、ベース２４に対して立ち上げられており、縁におけるオーバーフローを防止する。
【００４３】
浄化対象の液体は、鎮静され、定義されたオーバーフローの後、図示した供給タブ２３へ横からガイドされ、必要に応じてオフセットダム階段によりさらに鎮静される。このようなダム階段は、ベース２４に設けられていてもよいが、フローを鎮静化し、減速させ、および／または、均一化する他のフロー制御手段が特にベース２４に形成されていてもよい。
【００４４】
供給タブ２３の流出開口部２５の下側に配置され、横になった形で並べられているフィルターベルト３は、連続的に回転するベルトコンベヤとして設計されており、好ましくは閉鎖キャリアフレーム２７に支持された少なくとも２つの互いに間隔をおいた偏向ローラー１６、１７の周りに延びている。この場合、側部支持ガイドが、前記キャリアフレーム２７に設けられていてもよい。この側部支持ガイドは、用途に応じて、例えば、ＰＥ−ＵＨＭの形態のプラスチックにより被覆された滑りガイドとして形成されていてもよい。あるいは、または、さらに、金属またはプラスチックの対応する支持ローラーを有するローラーガイドがフィルター筐体２に設けられていてもよい。
【００４５】
図４が示すように、フィルターベルト３は、引き出し状の組立品２８の一部であり、この組立品２８を、前記フィルター筐体２へ押し入れ、および、これから引き出すことができる。この目的のために、フィルター筐体２は、断面が前記ベルトコンベヤよりも少し大きく形成された導入開口部２９を垂直壁に備えている。より正確に言えば、前記組立品２８の一部、つまり、上部搬送路３ａの一部および下部搬送路３ｂの一部を含むフィルターベルト３の一部と、その間に位置する偏向ローラーとを、フィルターベルト３の対応する部分が供給ゾーン５の供給タブ２３の下側に完全に一致して来るように、前記フィルター筐体２へ引き出しのように押し入れることができる。一方、フィルターベルト３の他の部分は、フィルター筐体２の外側に延び、この外側において、フィルターベルト３は排出ゾーン７を通過する。フィルターベルト３をフィルター筐体２内に適切に位置決定するため、および、フィルター筐体２を密封して閉じるために、フィルターベルト３を取り囲む接続カラー１５が設けられており、この接続カラー１５は、フィルターベルトの走行方向に対して実質的に垂直に延びる。前記接続カラー１５は、例えば、機械プレスにより、導入開口部２９を取り囲むフィルター筐体２の縁に、クランプ素子を用いて、フィルター筐体２と密封して接続される。フィルター筐体２に対して密封するため、フィルター筐体２と接続カラー１５との間に、例えば、適切なプラスチックなどの変形可能な材料からなるリングシールの形態の、好ましくは高耐熱性の、および／または、食品認可されたシールが設けられていてもよい。
【００４６】
フィルター筐体２から突出するフィルターベルト３の部分は、筐体状のカバー３０によって取り囲まれており、このカバー３０は、図示した実施形態においては箱形に形成され、フィルターベルト３の突出部分を全ての側部において取り囲み、前記接続カラー１５に接続されている。前記カバー３０は、下側に、排出開口部３１を備え、排出開口部３１を介して、フィルターベルト３から放出された除去された固体は、その下に位置する収集タンク３２へ排出される。
【００４７】
フィルターベルト３を備える前記組立品２８を引き出し、搬送するために、下部台車１３が設けられて組立品２８を支持しており、図示した実施形態では、前記下部台車１３は、ローラーすなわち車輪を備え、これらのローラーすなわち車輪は、単軸に配置されているが、多軸型の下部台車を設けることも出来る。前記下部台車１３の代わりに、または、これに加えて、組立品２８は、滑りガイド１４によりフィルター筐体２を移動可能にガイドされてもよく、前記滑りガイド１４は、例えば、フィルターベルト３用のキャリアフレーム２７に、例えば、フィルター筐体２に相補的に形成されたガイド手段と噛み合うガイドレールまたはガイド溝の形態で設けられていてもよい。引き出し状の組立品２８の不都合な完全な引き出しを防ぐために、組立品２８が完全に引き出される場合にフィルター筐体２に内側から接触する、例えば、固定ボルトの形態の解除可能な固定素子が、キャリアフレーム２７の内側端部に設けられていてもよい。
【００４８】
前述のカバー３０は、上方からフィルターベルト３に届くことができるようにするためにも、取り外し可能な蓋３３が上側に設けられていることが有利である。操作のために、蓋３３は、カバー３０の本体に密封して接続されていることが有利である。
【００４９】
フィルターベルト３の回転駆動のための駆動装置３４は、フィルター筐体２の外側に位置するフィルターベルト３の部分に位置している。前記駆動装置３４は、例えば、電気モーターの形態の可変速度のモーターを備えていることが有利であり、このモーターは、偏向ローラー１７の１つを任意に駆動し、偏向ローラー１７の周りで、フィルターベルト３は、固定または可変ギア比を有していてもよいトランスミッションを介して方向転換される。任意には、駆動装置３４は、フィルターベルト３に押し付けられる、または、適切な点でそれと噛み合う別の駆動輪を介して、フィルターベルト３を駆動することもできる。しかしながら、偏向ローラー１７を介した駆動が好ましい。ロールとして形成されていることが有利である前記偏向ローラー１７は、フィルターベルト３の設計に応じて異なる設計、例えば、球形ロールまたは円筒形ロールの形態を有していてもよく、この場合、有利には、前記偏向ローラー１７、および／または、別の偏向ローラー１６は、フィルターベルトが確実に真っ直ぐに走り出るようにするために、少なくとも１つのガイド溝、および／または、例えば、偏向ローラーの端部領域におけるフィルターベルトの横隣りへ突出する縁ウェブの形態の少なくとも１つのガイド突起を備えていてもよい。この目的のために、前記フィルターベルト３は、その内側に、前記ガイド溝に噛み合う突起が任意に設けられていてもよい。あるいは、または、さらに、偏向ローラー１６、１７の少なくとも１つは、フィルターベルト３において相補的に形成された切欠部に噛み合うガイドピニオンを備えていてもよい。あるいは、または、さらに、逆に、偏向ローラーの周囲面に相補的に形成された係合突起に噛み合う、一列の歯、一列の溝部、または、係合突起を有する同様の部分が、フィルターベルト３に設けられていてもよい。抜け落ちは、フィルターベルト３と偏向ローラーとの間のこのようなピニオン係合により確実に抑えられる。
【００５０】
ベルト速度を処理パラメータに合わせるために、前記駆動装置３４は、概略的にのみ示されている制御装置３５によって制御されることが有利であり、コンベヤ速度を、特に、細粒に対する液体の比率に応じて、特に、粒子量が増えるにつれて上がるように変化させることができる。細粒に対する水の比率の代わりに、または、これに加えて、冒頭部分で説明したように、他の動作パラメータも考えられる。
【００５１】
フィルターベルト３の帰路の下部領域において、駆動される偏向ローラー１７の後ろに、フィルターベルト３を連続的に掃除するベルトクリーナー６が排出ゾーン７に備えられている。フィルターベルト３の大まかな第１の掃除を行う、例えば、へら装置またはワイパーの形態の粗いスクレーパー３６が、偏向ローラー１７から出て行くフィルターベルト３の下部搬送路３ｂにまず設けられている。フィルターベルトおよび処理製品に応じて異なる噛み合い角度、および／または、異なる搬送角度もしくはベルト間隔を設定できるように、この粗いスクレーパー２７は、その角度位置、および／または、その設定深さもしくは搬送位置に対して可動式に支持されていることが有利である。ここでは、スクレーパー支持部の前記角度調節可能性は、一軸または二軸により実現されており、有利には、一方では、粗いスクレーパー３６は、フィルターベルト３の面に対して平行なその長手軸の周りにおいて傾斜可能であり、且つ、下部搬送路３ｂに対して垂直な軸の周りを回転可能であってもよい。
【００５２】
ここでは、前記粗いスクレーパー３６は、様々な形状を有していてもよく、本発明の有利なさらなる一発展形態では、ナイフ形、楔形、平坦形、山形、および、滴形はその価値が証明されている。特に、ウェブ形またはストリップ形のワイパーとして形成されていてもよい粗いスクレーパー３６は、様々な材料、例えば、ＰＥ−ＵＨＭなどのプラスチックや、ＰＴＦＥ、ＰＡ、ＰＰＳまたはＰＯＭなどから形成でき、金属も使用され得る。本発明のさらなる一発展形態において、ここでは、例えば、フィルターベルトの摩耗を減少するための摩耗減少被覆の形態、および／または、粗いスクレーパー３６からの粒子の放出を簡単化するためのテフロンなどの摩擦低減被覆の形態の被覆を粗いスクレーパー３６に対して施してもよい。
【００５３】
細粒の掃除は、図示した実施形態では、回転して駆動されるブラシ８によって行われ、このブラシ８は、同様に、フィルターベルト３の帰路に配置されており、粗いスクレーパー３６の下流から間隔を置いて配置されている。前記ブラシ８は、ここでは、特に、ブラシローラーとして形成されていてもよく、このブラシローラーは、ブラシの回転軸３７の周りを回転可能に支持されており、回転軸３７は、下部搬送路３ｂの面に対して平行に、且つ、好ましくは、フィルターベルト３の搬送方向に対して垂直に、任意には、鋭角でわずかに斜めに配置されていることが有利である。
【００５４】
ブラシ８の駆動動作は、例えば、鎖、ベルト、または、ピニオン配置の形態の機械的連結によりフィルターベルト３の駆動により引き起こされる。この場合、ブラシ８は、フィルターベルト３と同じ方向または反対方向に駆動され得る。なお、相対速度は、同じ方向の駆動動作で対応して高い駆動速度により生成される。しかしながら、本発明の有利なさらなる一発展形態では、ブラシ８は、フィルターベルト３のコンベヤ速度に対して可変速度の駆動部３８によって駆動され、この駆動部は、例えば、電気モーターの形態の速度可変駆動モーターを含んでいてもよい。あるいは、または、さらに、前記駆動部３８は、変動比率トランスミッションも含み得る。この変動比率トランスミッションにより、駆動動作は、その後、フィルターベルトの駆動から、または、別個の駆動モーターから同じく引き起こされる。ブラシ８は、フィルターベルト３とは反対方向に操作されることが有利である。
【００５５】
本発明のさらなる一発展形態において、ブラシ８の駆動速度は、示唆されているだけの制御装置３５によって制御または調整されて掃除の程度ができるだけ高くなる。ブラシ速度は、ここでは、異なる変数に応じて、例えば、冒頭部分でより詳しく述べたように、液体量に対する固体の比率、供給ゾーンにおけるフィルター荷重、固体の種類、固体および／もしくは液体の温度、粒度、ならびに／または、他の動作パラメータに応じて制御され得る。このため、制御装置３５は、適切な検出手段と接続されていてもよく、制御装置３５は、検出手段の信号に応じてブラシ速度を変更する。
【００５６】
フィルターベルト４３に対するブラシ８の噛み合いの強度は、特に、ブラシの刈込み形状と、毛の材料の選択とに応じて可変であることが有利である。あるいは、または、さらに、例えば、ブラシ８の下流において観測されるベルト部分の掃除の程度が不十分である場合には接触圧力が上昇されるように、前述の動作パラメータのさらなるものを考慮に入れてもよい。この目的のために、ブラシ８は、接触圧力が変更され得るように、特に、フィルターベルト３ヘ向かう、および、フィルターベルト３から離れる方向において、可動式に支持されていることが有利である。この可動性に関連する設定装置は、手動として設計され得ることが有利であるが、前記制御装置３５が前述の動作パラメータの１つ以上に応じてブラシ８の接触圧力を制御することができるように、外部エネルギーによる調節装置が設けられていてもよい。
【００５７】
掃除をより良好にするために、ブラシ８の速度、および／または、接触圧力を、例えば、ブラシ８が、フィルターベルト３と同じ方向と反対の方向とを交互に逆転するように操作され、および／または、フィルターベルト３の各ｎ番目の回転時に、上昇した回転速度、および／または、上昇した接触力で操作されるように周期的に変更することもできる。ブラシ速度およびブラシ接触圧力のこのような周期的な変化は、掃除結果を向上できると同時に、フィルターベルトの摩耗を減少できる。
【００５８】
ブラシ８は、フィルターベルト３の全幅に亘って１つの部品として形成されていてもよい。しかしながら、ブラシ８の複数部品での設計または断片部に分割した設計が有利であり、これにより、ブラシのより迅速な交換が可能になる。
【００５９】
同様にブラシ８の毛の部分は、例えば、全体の刈り込み、または、無規律な束の刈り込みの形態の様々な設計を有していてもよい。本発明の有利なさらなる一発展形態では、毛の端部により形成されるブラシ８の作業面が、例えば、より高く、そして、より低くというように突出する毛の領域部分の柱の形態で定義された起伏の輪郭変化を有する、構造化されたブラシの刈り込みが提供され得る。毛の刈り込みは、特に、ネジ状部分、および／または、１つ以上の列のコイルを有していてもよく、この場合、搬送方向に対して横切って粒子除去の均一化を達成するために、図８に示す楔形コイルまたは部分を設けられることが有利である。
【００６０】
毛部分のための毛を、様々な材料から製造することができ、プラスチックまたは天然繊維が有利であるが、金属の毛を設けることもでき、任意には被覆を設けることができる。
【００６１】
ブラシ８を掃除するために、ブラシクリーナー９が設けられており、このブラシクリーナー９は、図示した実施形態では、ワイパーの形態で形成され得ることが有利であるブラシスクレーパー１０を備えている。前記ワイパーは、ここでは、円筒形の丸い棒であってもよいが、任意には、押出部分の形態での部分を有していてもよいし、または、特に、前記ワイパーがその長手方向の軸の周りを回転して駆動可能である場合、長手方向において変化する領域、例えば、コイルまたはネジ部分が備えられていてもよい。
【００６２】
図７が示すように、前記ブラシスクレーパー１０は、その長手方向軸がブラシの回転軸１２に対して実質的に平行に配置されており、この場合、前記ブラシスクレーパー１０は、図示した実施形態ではブラシ８の毛の領域へ完全に埋没して配置されている。ブラシ８の掃除を様々なプロセス条件に適合できるように、ブラシスクレーパー１０は、可動式に支持されていることが有利である。一方では、ブラシスクレーパー１０の位置を有利に設定することができ、ブラシの回転軸１２からの間隔を変化させることができ、および／または、ブラシ８の周辺方向に沿った位置を変化させることができる。図示した実施形態において、ブラシスクレーパー１０は、１８０°の位置に、すなわち、フィルターベルト３の反対側に設けられたブラシ８の側に正確に配置されている。しかしながら、位置設定に応じて、ブラシスクレーパー１０を、ブラシの周辺方向において９０°から２７０°の範囲において変更することも出来る。
【００６３】
ブラシスクレーパー１０の断面が前述のように円形とは異なる場合、該ブラシスクレーパーも回転可能に支持され、駆動部により回転して駆動されてもよい。ここでは、対応する駆動部も可変速度を有するように構成され得ることが有利であり、前記制御装置３５は、有利には前述の動作パラメータの少なくとも１つを考慮しながら、および／または、さらにブラシ８の速度に応じて、速度の自動設定または調節を行うことができる。比較的強い掃除効果が必要な場合、例えば、水の量に対する粒子の割合が比較的高い場合、ブラシスクレーパー１０を、例えば、ブラシ８の毛の領域へ深く動かすことができる。あるいは、または、さらに、例えば、粒度が上がってブラシ８から比較的大きな粒子を除去する必要がある場合、スクレーパーの測度を上げることができる。さらに、ブラシスクレーパー１０の位置、および／または、速度の他の変更も可能である。
【００６４】
ブラシ８から放出された粒子がフィルターベルト３へ跳ね返るのを防止するために、例えば、偏向板の形態の衝撃面３９がブラシ８の付近に設けられており、ブラシ８に隣接するフィルターベルト部から、特に、ブラシ８の下流側に位置するフィルターベルト部から、ブラシ８を隔てている（図６参照）。
【００６５】
方向転換面１８は、フィルターベルト３の供給ゾーン５に、その上部搬送路３ａとその下部搬送路３ｂとの間に設けられており、方向転換板の形態で形成されていてもよく、この方向転換板は、上部搬送路と下部搬送路との間に延び、上部搬送路を通って漏出した処理水が下部搬送路も通るのを防止する。供給ゾーン５の下側に位置するこの方向転換板は、本発明の有利なさらなる一発展形態では、軸方向へ、すなわち、フィルターベルト３の搬送方向へ中央が傾斜していてもよく、および／または、液体を均一に両側へ方向転換するために切妻屋根のようなＶ形の輪郭を有していてもよい。ここでは、方向転換面１８上のフィルターベルト３の搬送方向に対して横切るように延びるフロー方向素子は、堰き止められた液体を規定された方法で側方へ方向転換するためにレールまたはウェブの形態で設けられていてもよい。前記方向転換面１８により、フィルターベルト３の帰路が汚染されず、それゆえ、偏向ローラー１６および１７も汚染されないということが確実になる。
【００６６】
本発明のさらなる一発展形態において、例えば、フィルターベルト８の外側縁に噛み合う、または、これを覆うベルトガイドレールの形態のベルトガイド装置が前記方向転換面１８に設けられていてもよい。前記ベルトガイドレールは、２つの支部により、例えば、Ｌ形に形成されて、フィルターベルトの縁が支部に接触し、または、その上に乗り、フィルターベルトの縁を超える濾過対象液体のオーバーフローまたは溢れを防止するために、供給ゾーンが側方から境界付けされるようになっていることが有利である。同時に、前記ベルトガイドレールは、液体供給の領域においてフィルターベルト端部の捻れまたは落下を防止する。
【００６７】
図１０に示すように、連続して回転するフィルターベルト３は、様々な搬送経路および向きを採用し得る。図１０においてａ）により示される横になった実施形態の回転するフィルターベルト３の実施形態は、先述の図に示した実施形態に対応している。しかしながら、これに替えて、フィルターベルト３は、供給ゾーン５からわずかに立ち上がるコンベヤ経路を形成、すなわちｂ）のような方向性を有していてもよく、または、供給ゾーン５からわずかに下がるコンベヤ経路を形成、すなわち、ｃ）のような方向性を有していてもよい。
【００６８】
さらに、フィルターベルト３は、互いに捻れたコンベヤ経路を通過することができ、この経路は、３つ以上の偏向ローラーにより実現され得る。例えば、フィルター筐体２の外側に在るフィルターベルト３の部分は、図１０に示す表示ｄ）のように、わずかに鋭角で並べられた上向きの傾斜を通過することができ、または、代替として、図１０の表示ｅ）のようにわずかに下向きに傾斜した搬送経路を通過することができる。
【００６９】
表示ｆ）によると、フィルター筐体２の外側に設けられたフィルターベルト３の搬送経路は、例えば、濾過された処理産生物のための追加の処理場所を提供できるように、単純に延ばされていてもよい。乾燥装置２０は、特に、供給ゾーン５と排出ゾーン７との間に設けられていてもよく、乾燥装置２０により、フィルターベルト３に付着する固体の水分含量を低減することができる。このような乾燥装置２０は、固体に乾燥空気を適用するために、例えば、赤外線ラジエーターの形態のエネルギーラジエーター２１も含んでいてもよいが、例えば、送風または吸引の装置の形態の気流生成器２２を含んでいてもよい。あるいは、または、さらに、サイクロン分離器、真空ポンプ、または、加熱ラジエーターなどの他の乾燥手段を使用することもできる。
【図１】
2013543440.tif 000003
【図２】
2013543440.tif 000004
【図３】
2013543440.tif 000005
【図４】
2013543440.tif 000006
【図５】
2013543440.tif 000007
【図６】
2013543440.tif 000008
【図７】
2013543440.tif 000009
【図８】
2013543440.tif 000010
【図９】
2013543440.tif 000011
【図１０】
2013543440.tif 000012
【国際調査報告】
2013543440.tif 000013
2013543440.tif 000014
2013543440.tif 000015
2013543440.tif 000016
2013543440.tif 000017
2013543440.tif 000018